(57)【要約】【課題】軽量化を図りつつ強度を向上し、扉の衝突音の低減化や扉の跳ね返りを抑制し得ると共に、戸棚を吊り設置したり転倒防止処置のためのネジ固定を支障なく行なう。【解決手段】食器戸棚の本体は、一対の側板１２,１４、天板１６、底板１８および２枚の背板２０,２０を相互に連結固定することで構成される。一対の側板１２,１４は、中空パネル３２の内部に発泡材３４を充填した壁構造となっている。天板１６は、平板状の鋼板の各縁部を下側に折曲形成して下方に開口した皿状に形成したトッププレート４６と、該トッププレート４６の下面における４つの縁部および左右方向の中央に夫々配設された補強部材とから構成される。【選択図】図１
2005185371.tif 000002
【特許請求の範囲】
【請求項１】
被収納物が収納される収納室(26)が内部画成された本体(22)に開設した開口部(22a)を扉(28,30)により開閉する戸棚において、
前記本体(22)は、別々に製作した左右両側板(12,14)、天板(16)、底板(18)および背板(20,20)を、固定手段(38,40,42,44)を介して相互に連結固定することで構成され、
前記天板(16)は、下方に開口する皿状に形成されると共に、
前記左右両側板(12,14)のみは、鋼板により形成された中空パネル(32)の内部に発泡材(34)を充填した壁構造となっている
ことを特徴とする戸棚。
【請求項２】
前記天板(16)は、平板状の鋼板の各縁部を下側に折曲形成したトッププレート(46)の下面に、複数の補強部材(48)を配設して構成される請求項１記載の戸棚。
【発明の詳細な説明】
【技術分野】
【０００１】
本発明は、本体に内部画成した収納室に食器類等の被収納物を収納するよう構成した戸棚に関するものである。
【背景技術】
【０００２】
厨房に設置される食器類等を収納する戸棚は、箱状の本体の内部に、食器類等が収納される収納室が画成されると共に、該本体には、前方に開放する矩形状の開口部が開設され、この開口部は、スライド扉または観音開き式の扉により開閉されるよう構成される(例えば、特許文献１参照)。
【０００３】
前記本体は、ステンレス鋼等を材料とする鋼板を折曲げ加工した複数の板材を、相互に溶接することで構成されている。
【特許文献１】特開平８−１８７１３２号公報
【発明の開示】
【発明が解決しようとする課題】
【０００４】
前述した構造の本体における壁(板材)は鋼板のみで構成されているから、前記スライド扉または観音開き式の扉を閉める際には、該扉が壁面に衝突したときに大きな音が発生する問題があった。また、スライド扉の場合では、該扉を勢いよく閉めると、スライド扉が側壁に衝突したときの反動により跳ね返って開いた状態となり、再度扉を閉める煩雑な作業が必要となっていた。
【０００５】
この点に関し、本件出願人の出願に係る発明「戸棚」(特願２００３−２７３６５４号)が存在する。この戸棚は、本体を構成する天板および左右の側板を、鋼板により形成された中空パネルとして、その内部に発泡材を充填した壁構造としていることから、扉の衝突音の低減化や、扉の跳ね返りを抑制することができる。
【０００６】
しかし、前述した構造においては、以下の難点があった。
すなわち、戸棚を厨房の天井から吊すような、所謂吊戸棚を設置する場合には、天井と戸棚本体の天板とをネジ等で固定するため、該天板が発泡材を充填した中空パネル構造では、吊戸棚本体の質量＋収納食器類の質量を支えるための強度を持たせることが困難である。なお、中空パネルの内部におけるネジを締め付ける部分に補強部材を配設すればよいが、厨房の天井における形状や強度等の関係で、実際の設置時には必ずしも補強部材がある位置にネジ固定ができるとは限らず、しかも現場での加工は困難である。また、補強部材の配設領域を大きくすることで、多少の位置変更には対応可能となるが、この場合はコストが嵩むと共に、軽量化が阻害されてしまう。
【０００７】
また、床置き設置を行なう戸棚に対して転倒防止処置を行なう場合に、前記同様に天板が発泡材を充填した中空パネル構造では、転倒防止用部材を固定するネジが安定した状態で固定されない。なお、この場合においても中空パネルの内部におけるネジを締め付ける部分に補強部材を配設すればよいが、厨房の壁における形状や強度等の関係で、実際の設置時には必ずしも補強部材がある位置にネジ固定ができるとは限らず、しかも現場での加工は困難である。また、補強部材の配設領域を大きくすることで対応する場合は、前述したように、コストが嵩むと共に、軽量化を阻害する要因となる。
【０００８】
すなわち本発明は、前述した従来の技術に内在している前記問題に鑑み、これを好適に解決するべく提案されたものであって、軽量化を図りつつ強度を向上し、扉の衝突音の低減化や扉の跳ね返りを抑制し得ると共に、戸棚を吊り設置したり転倒防止処置のためのネジ固定を支障なく行ない得る戸棚を提供することを目的とする。
【課題を解決するための手段】
【０００９】
前記問題を克服し、所期の目的を好適に達成するため、本発明に係る戸棚は、
被収納物が収納される収納室が内部画成された本体に開設した開口部を扉により開閉する戸棚において、
前記本体は、別々に製作した左右両側板、天板、底板および背板を、固定手段を介して相互に連結固定することで構成され、
前記天板は、下方に開口する皿状に形成されると共に、
前記左右両側板のみは、鋼板により形成された中空パネルの内部に発泡材を充填した壁構造となっていることを特徴とする。
【発明の効果】
【００１０】
本発明に係る戸棚によれば、本体を構成する左右の側板を、中空パネルの内部に発泡材を充填した壁構造としたから、鋼材の厚みを大きくすることなく充分な強度を確保し得ると共に、軽量化を図ることができ、また安価に製造することができる。しかも、扉が衝突したときに発生する衝突音は発泡材で吸収され、衝突音を小さくすることが可能となる。更に、天板は、下方に開口する皿状に形成したものであるから、戸棚を吊り設置したり転倒防止処置のために該天板をネジ固定する場合であっても、簡単に対応することができる。すなわち、厨房の天井や壁の条件に応じてネジを固定する箇所にのみ、補強部材を現場において簡単に配設することができ、また必要以上に大きな補強部材を配設する必要もないから、コストが嵩んだり軽量化が阻害されることはない。
【発明を実施するための最良の形態】
【００１１】
次に、本発明に係る戸棚につき、好適な実施例を挙げて、添付図面を参照しながら以下説明する。
【実施例】
【００１２】
図１または図２に示す如く、実施例に係る食器戸棚(戸棚)１０は、一対の側板(側壁)１２,１４、天板(壁)１６、底板(壁)１８および２枚の背板２０,２０を相互に連結固定することで、前方に開放する箱状の本体２２が構成される。この本体２２の内部には、上下方向の略中間位置に仕切板２４が配設され、本体内部には、該仕切板２４を挟んで上下に収納室２６が夫々画成されるようになっている。なお、両側板１２,１４における各収納室２６内に臨む対向する内面には、前後に離間して棚受柱(図示せず)が上下方向に延在するよう夫々配設され、該棚受柱に着脱自在に係止された棚受金を介して、食器類を載置する棚部材(何れも図示せず)が多段的に配設可能に構成されている。
【００１３】
前記本体２２の前部には、図３に示す如く、前方に開放する矩形状の開口部２２ａが、前記仕切板２４を挟んで上下に形成されている。各開口部２２ａの内周上部および内周下部には、その幅方向の全長に亘って、レール部１８ｃ,２４ｃ(後述)が設けられ、両レール部１８ｃ,２４ｃ間に、前スライド扉(扉)２８および後スライド扉(扉)３０が夫々幅(左右)方向にスライド自在に支持されて、前記開口部２２ａを開閉し得るよう構成してある。
【００１４】
前記本体２２を構成する左右の両側板１２,１４の構成は同一であるので、図１において右側の右側板１４の構成についてのみ説明し、左側の左側板１２の同一部材には同じ符号を付して示すものとする。すなわち、図１に示す如く、右側板１４は、ステンレス鋼を材料として中空箱状に形成された中空パネル３２の内部に、発泡ウレタン等の発泡材３４を充填した壁構造となっており、本体２２の組立て工程とは別の工程により製作される。前記発泡材３４の発泡密度は、１００ｇ／ｌ以下に設定され、高い衝撃吸収作用を奏するよう構成してある。この中空パネル３２の表面には、ショットピーニング等により梨子地加工が施され、ツヤ消し処理されている。なお、ショットピーニングに際し、パネル表面に抗菌被膜を形成するようにすれば、前記収納室２６に収納された食器類を衛生的に保つことができる。
【００１５】
前記右側板１４における天板１６および底板１８に対応する上部位置および下部位置の夫々には、左右方向に貫通する通孔３６ａ,３６ｃが前後方向に所定間隔離間して複数づつ穿設されている。各上通孔３６ａには、固定手段としての上ネジ３８が外側から夫々挿通され、該上ネジ３８を天板１６の後述する側部ネジ孔１６ａに螺挿することで、当該右側板１４に天板１６の一側が連結固定される。また各下通孔３６ｃには、固定手段としての下ネジ４２が外側から夫々挿通され、該下ネジ４２を底板１８の後述する側部ネジ孔１８ａに螺挿することで、当該右側板１４に底板１８の一側が連結固定される。なお、右側板１４における仕切板２４に対応する中間位置には、その内側面に中ネジ孔３６ｂが前後方向に所定間隔離間して複数設けられている。そして、仕切板２４の後述する側部通孔２４ａに内側から挿通した固定手段としての中ネジ４０を、前記中ネジ孔３６ｂに内側から螺挿することで、当該右側板１４に仕切板２４の一側が連結固定されるようになっている。なお、中ネジ孔３６ｂを通孔とし、側板内部に設けたネジ板のネジ孔に中ネジ４０を螺挿するようにしてもよい。
【００１６】
また、前記右側板１４の後面には、上下方向に所定間隔で後通孔３２ａが穿設されると共に、各後通孔３２ａと対応する後部内側に後ネジ板が内設されている。そして、各背板２０の後述する各通孔５８から右側板１４の対応する後通孔３２ａに挿通した固定手段としての後ネジ４４を、前記後ネジ板のネジ孔に螺挿することで、各背板２０が右側板１４に連結固定されるようになっている(図４参照)。
【００１７】
前記天板１６は、図１および図５に示す如く、平板状の鋼板の各縁部を下側に折曲形成して下方に開口した皿状に形成したトッププレート４６と、該トッププレート４６の下面における４つの縁部および左右方向の中央に夫々配設された補強部材４８とから構成される。そして、天板１６の左右両側面に、前記左右の側板１２,１４に穿設された各上通孔３６ａに対応して側部ネジ孔１６ａが夫々設けられており、該側部ネジ孔１６ａに前記上ネジ３８が螺挿される。また、天板１６の後面に、左右方向に所定間隔で複数の後ネジ孔１６ｂが設けられ、各後ネジ孔１６ｂに後ネジ４４を螺挿することで、上側の背板２０が天板１６に連結固定されるようになっている。なお、天板１６の前部下面には、前記上側の開口部２２ａを開閉するスライド扉２８,３０の上部を支持するためのレール部(図示せず)が設けられている。
【００１８】
前記底板１８は、図１および図５に示す如く、平板状の鋼板の各縁部を下側に折曲形成して下方に開口した皿状に形成したトッププレート５０と、該トッププレート５０の下面における４つの縁部および前後方向の中央に夫々配設された補強部材５２から構成される。そして、底板１８の左右両側面に、前記左右の側板１２,１４に穿設された各下通孔３６ｃに対応して側部ネジ孔１８ａが夫々設けられており、該側部ネジ孔１８ａに前記下ネジ４２が螺挿される。また、底板１８の後面に、左右方向に所定間隔で複数の後ネジ孔１８ｂが設けられ、各後ネジ孔１８ｂに後ネジ４４を螺挿することで、下側の背板２０が底板１８に連結固定されるようになっている。なお、底板１８の前部上面には、前記下側の開口部２２ａを開閉するスライド扉２８,３０の下部を支持するためのレール部１８ｃが設けられている。
【００１９】
前記仕切板２４は、図１および図５に示す如く、平板状の鋼板の各縁部を下側に折曲形成して下方に開口した皿状に形成したトッププレート５４と、該トッププレート５４の下面における４つの縁部および前後方向の中央に夫々配設された補強部材５６から構成される。そして、仕切板２４の左右両側面および対応する補強部材５６に、前記左右の側板１２,１４に穿設された各中ネジ３６ｂに対応して側部通孔２４ａが夫々設けられており、該側部通孔２４ａに内側から挿通した前記中ネジ４０が中ネジ孔３６ｂに螺挿される。なお、中ネジ孔３６ｂに螺挿された中ネジ４０は、側板１２,１４の外側には露出しないようになっている。また、仕切板２４の後面には、上下に離間する位置に、左右方向に所定間隔で複数の後ネジ孔２４ｂが夫々設けられ、各後ネジ孔２４ｂに後ネジ４４を螺挿することで、上下の背板２０,２０が仕切板２４に連結固定されるようになっている。なお、仕切板２４の前部上面および下面には、前記上側の開口部２２ａを開閉するスライド扉２８,３０の下部および下側の開口部２２ａを開閉するスライド扉２８,３０の上部を支持するためのレール部２４ｃ(上側のレール部のみ図示)が設けられている。
【００２０】
前記本体２２を構成する２枚の背板２０,２０は、所定厚みのステンレス鋼を材料とする薄板鋼板であって、その４つの端縁部には、前後に貫通する複数の通孔５８が上下方向あるいは左右方向に離間して夫々穿設されている。なお、各背板２０の上下寸法は、前記左右両側板１２,１４、天板１６および底板１８を相互に連結固定した際に後方に開放する後開口の略半分を閉成し得る寸法に設定されている。すなわち、２枚の背板２０,２０で後開口を閉成した状態で、各背板２０の各通孔５８から挿通した固定手段としての後ネジ４４を、側板１２,１４、天板１６、底板１８および仕切板２４の対応する後ネジ孔１６ｂ,１８ｂ,２４ｂに螺挿することで、背板２０,２０が両側板１２,１４、天板１６、底板１８および仕切板２４に連結固定される(図４参照)。
【００２１】
前記前後のスライド扉２８,３０は、何れもステンレス鋼を材料とする鋼板により形成された中空パネル６０の内部に、発泡ウレタン等の発泡材(図示せず)を充填して構成されたものであって、必要な強度を確保すると共に消音性を向上するようにしてある。また、スライド扉２８,３０(中空パネル６０)の表面には、フッ素樹脂コートが施され、手アカや汚れが付き難くしてある。
【００２２】
〔実施例の作用〕
次に、前述した実施例に係る食器戸棚の作用について説明する。前記本体２２を構成する側板１２,１４、天板１６、底板１８および仕切板２４は、夫々別に製作された後、背板２０,２０と共に組立てられる。すなわち、前記各板１２,１４,１６,１８,２４,２０,２０を組立てる場合は、前記左右の側板１２,１４の間において、天板１６および底板１８を、各側部ネジ孔１６ａ,１８ａと両側板１２,１４における上下の各通孔３６ａ,３６ｃとが整列するよう位置決めする。そして、側板１２,１４における上下の各通孔３６ａ,３６ｃに外側から挿通したネジ３８,４２を、対応する各側部ネジ孔１６ａ,１８ａに螺挿することで、両側板１２,１４の間に天板１６および底板１８が連結固定される。また、左右の側板１２,１４の間において、前記仕切板２４を、側部通孔２４ａと両側板１２,１４における中ネジ孔３６ｂとが整列するよう位置決めする。そして、仕切板２４の各側部通孔２４ａに内側から挿通したネジ４０を、対応する中ネジ孔３６ｂに螺挿することで、両側板１２,１４の間に仕切板２４が連結固定される。
【００２３】
前記両側板１２,１４の間に天板１６、仕切板２４および底板１８を配設した後、左右両側板１２,１４、天板１６、底板１８および仕切板２４の後面に、前記背板２０,２０の各端縁部前面を当接して、側板１２,１４、天板１６、底板１８および仕切板２４の各後ネジ孔１６ｂ,１８ｂ,２４ｂと背板２０,２０の各通孔５８とを整列するよう位置決めする。そして、背板２０,２０の後方から各通孔５８に挿通した後ネジ４４を、対応する後ネジ孔１６ｂ,１８ｂ,２４ｂに螺挿することで、左右両側板１２,１４、天板１６、底板１８および仕切板２４に背板２０,２０が連結固定される(図４参照)。これにより、前方に開口部２２ａ,２２ａが形成された箱状の本体２２が構成される。
【００２４】
前記本体２２は、天板１６、底板１８および仕切板２４が配設される左右の両側板１２,１４を、中空パネル３２に発泡材３４を充填した壁構造としたから、天板１６、底板１８および仕切板２４を中空パネル構造としなくても、中空パネル３２を構成する鋼材の板厚を大きくすることなく、本体２２の充分な剛性(強度)を得ることができる。また、各板１２,１４,１６,１８,２４,２０,２０は、ネジ３８,４０,４２,４４を介して連結固定しているから、溶接により連結する場合とは異なり、溶接箇所を仕上げ加工する工程を不要として、組立工程数を低減し得る。なお、本体２２を、ネジによる組立て構造としたから、現場での組立てができ、据付け場所の条件等に応じて、現場で組立てたり、あるいは予め組上がった姿で搬入することを選択できる。また、幅寸法の異なる各種仕様の本体２２を構成するに際し、前記側板１２,１４を共通部品として使用することができ、各仕様毎に異なる寸法の側板を製作する場合に比べて、製造コストを低廉に抑えることができる。
【００２５】
前記側板１２,１４の表面には梨子地加工が施されているから、例えば各側板１２,１４に歪み等が生じた場合であっても、目立つことはなく、見栄えを損なうのを抑制し得る。また、鏡面加工に比べて周囲の厨房機器や作業者の映り込みがないので、作業者の気が散るのは抑えられる。
【００２６】
前記スライド扉２８,３０を閉める際に、該扉２８,３０が衝突する両側板１２,１４は、中空パネル３２に発泡材３４を充填した壁構造としてあるから、スライド扉２８,３０が衝突したときに発生する衝突音は、該発泡材３４で吸収される。すなわち、発泡材３４の衝撃吸収作用により金属板特有のビビリ音の発生を防止して衝突音を小さくすることができ、静音性に優れる。なお、中空パネル３２の内部には発泡材３４が隙間なく詰まっているから、前記衝突音は低音となり、重量感が得られ、また壁面が撓むのも防止できる。
【００２７】
また、発泡材３４の衝撃吸収作用によりスライド扉２８,３０が跳ね返るのも抑制され、一旦閉めた扉２８,３０を再度閉め直す煩雑な作業を省略することができる。なお、両側板１２,１４の内部には隙間が無いから、ゴキブリ等の虫が入り込んで不衛生となるのは防止される。
【００２８】
前記スライド扉２８,３０の表面にはフッ素樹脂コートが施されているので、作業者が開閉操作する際に汚れ難く、清掃が容易となる。またスライド扉２８,３０自体も、中空パネル６０に発泡材を充填した構造を採用しているから、静粛性に優れると共に質感も向上する。
【００２９】
前記本体２２を構成する天板１６は、中空パネル構造ではなく、下方に開口した皿状のトッププレート４６の下面に複数の補強部材４８を配設して構成したものであるから、当該食器戸棚を厨房の天井に吊ったり、あるいは転倒防止処置のためにネジ固定する場合は、該トッププレート４６におけるネジを固定する箇所の下面に、現場で補強部材を簡単に配設することができる。すなわち、厨房における天井や壁の形状や強度等の条件に応じて、適所に補強部材を必要なだけ配設することができるから、コストが嵩んだり、軽量化が阻害されることはない。
【００３０】
〔変更例〕
実施例では、戸棚として食器類を収納する食器戸棚を挙げて説明したが、収納される被収納物は食器類等に限定されるものでなく、その他各種のものを収納する戸棚を対象とし得る。側板やスライド扉に充填される発泡材としては、発泡ウレタンに限定されるものでなく、発泡スチロール等であってもよい。また、底板や仕切板に関しては、厚板鋼板から形成した中空パネルのみの構造(内部に発泡材を充填していない構造)としたり、側板と同様に中空パネルの内部に発泡材を充填したものであってもよい。なお、戸棚を吊り設置する場合は、側板、仕切板および底板を、中空パネル構造とし、内部に発泡スチロールを入れる構成が、軽量化の点で有利である。
【００３１】
実施例の天板は、平板状の鋼板の各縁部を下側に折曲形成して下方に開口した皿状に形成したトッププレートの下面に補強部材を配設して構成したが、平板状の鋼材における４つの縁部に沿って補強部材を配設することで、下方に開口した皿状となるようにしてもよい。すなわち、鋼材(トッププレート)の下面が、所要範囲に亘って収納室内に露出するようになっていればよく、これによって厨房の天井や壁に天板を固定するに際してのネジ固定位置の変更等に簡単に対応することができるものである。
【００３２】
実施例では、本体の開口部をスライド扉により開閉する形態の戸棚を挙げたが、観音開き式の扉で開口部を開閉するものであってもよい。なお、一側縁部において回動自在に枢支された一枚の回動式扉で、開口部を開閉する構造を採用し得る。更に、実施例では本体内部に仕切板を配設して上下に収納室を設けた場合で説明したが、収納室は１つ、あるいは３つ以上であってもよく、また収納室が左右に分かれる構造であってもよい。
【００３３】
実施例では、背板を薄板鋼板で構成したが、該背板においても側板と同様の壁構造を採用し得る。また、背板は２枚でなく１枚であってもよい。なお、各板を連結固定する固定手段としては、実施例のネジに限定されるものでなく、ビスやリベット等であってもよい。
【図面の簡単な説明】
【００３４】
【図１】実施例に係る食器戸棚の本体を構成する各板を分解した状態で示す概略斜視図である。
【図２】実施例に係る食器戸棚を示す概略斜視図である。
【図３】実施例に係る食器戸棚を示す正面図である。
【図４】実施例に係る食器戸棚を示す背面図である。
【図５】実施例に係る食器戸棚を示す縦断正面図である。
【符号の説明】
【００３５】
１２ 左側板(側板)，１４ 右側板(側板)，１６ 天板，１８ 底板，２０ 背板
２２ 本体，２２ａ 開口部，２６ 収納室，２８ 前スライド扉(扉)
３０ 後スライド扉(扉)，３２ 中空パネル，３４ 発泡材，３８ 上ネジ(固定手段)
４０ 中ネジ(固定手段)，４２ 下ネジ(固定手段)，４４ 後ネジ(固定手段)
４６ トッププレート，４８ 補強部材
【図１】
2005185371.tif 000003
【図２】
2005185371.tif 000004
【図３】
2005185371.tif 000005
【図４】
2005185371.tif 000006
【図５】
2005185371.tif 000007